(57)【要約】【課題】  台座付薄型テレビを載せる金属性の移動式テレビ台において、地震や移動に伴う揺れ、振動、衝撃による転倒及び滑動等を防止し、安全性を高める転倒落下防止金具付テレビ台を提供する。【解決手段】  テレビ台天板１４後側左右脚部支柱１２へひと回り細い内部支柱１１を嵌入し、左右脚部支柱１２外側面には内部支柱１１を押圧固定する為のボルトネジ１６を付ける。また左右内部支柱１１の頭頂部をテレビ台１前方向に曲げ突出させる。さらに、左右内部支柱１１の頭頂部先端に長穴スリット２１を設けた固定金具２を横架接続し、薄型テレビ背面３１の取付用インサートナット３５を利用して固定金具２を取り付ける。これにより、薄型テレビ３の高さ及び横方向の固定位置が自在に調整でき、テレビ台１との一体化固定が可能となり地震等の揺れなどから転倒防止が図られる。【選択図】図１
2010279007.tif 000002
【特許請求の範囲】
【請求項１】
台座付薄型テレビを載置する複数段の棚からなる金属性の移動式テレビ台において、前記テレビ台天板の後端左右脚支柱頭頂部から前方向へ突出させた左右アーム部先端に固定金具を横架結持し、前記薄型テレビの背面取付用インサートナットに高さを合わせて固定保持させる事を特徴とする台座付薄型テレビ用転倒落下防止金具付テレビ台。
【請求項２】
前記左右アーム部は、前記テレビ台後端左右脚支柱に各々ひと回り細い内部支柱を嵌入内接することによって上下の高さ調整を自在にし、さらに前記テレビ台左右脚支柱外側面に螺刻を施し、ボルトネジにて前記内部支柱を押圧固定させる事を特徴とする請求項１に記載のテレビ台。
【請求項３】
前記固定金具は前記薄型テレビの背面取付用インサートナット位置に合うように、長穴スリット形状としており、前記薄型テレビの製造メーカー各社によって異なる前記薄型テレビ背面取付用インサートナット位置に自在に対応出来る事を特徴とする請求項１乃至２に記載のテレビ台。
【発明の詳細な説明】
【技術分野】
【０００１】  本発明は、台座付薄型テレビが載置される薄型テレビ用転倒落下防止金具付テレビ台に関するものである。
【背景技術】
【０００２】  一般的に、薄型テレビと呼ばれる液晶テレビやプラズマテレビ等は、薄型のディスプレイ部本体とこのディスプレイ部本体を下端中央部で支える支持脚と支持脚の下端側を保持する台座部とで構成されており、自立型の構造となっている。【０００３】  これらの薄型テレビは、構造上重量のあるディスプレイ部本体の重心が支持脚より上方に位置する為安定性を欠き、テレビ台に据え置かれた場合には、地震などの強い揺れにより転倒することがある。従来この課題に対する対策として、薄型テレビの転倒落下防止の為、数々の提案がなされている。例えば、特許文献１には薄型テレビの台座部の後端部上面を押圧する部材と、テレビ台の天板の後端縁部下面に当接する下当接部材とで、薄型テレビの台座部とテレビ台天板を掴持固定して、転倒落下防止を図る方法が開示されている。
【先行技術文献】
【特許文献】
【０００４】  また、特許文献２には薄型テレビ背面にＴ型金具が両面接着テープで固着され、テレビ台設置面にも両面接着テープでＴ型金具が固着され、各々のＴ型金具をベルト状の連結部材にて繋ぎ止めることにより、薄型テレビの転倒落下の防止を図るという方法が開示されている。
【特許文献１】特開２００８−５２６２
【特許文献２】特開２００６−３０４２３９
【発明の概要】
【発明が解決しようとする課題】
【０００５】  しかしながら、特許文献１に示されている薄型テレビ用掴持具では、今日の多様化した様々な形状の薄型テレビの台座部全てに使用することは出来ず、特許文献１に示された様な凹凸のない平面形状の台座の物しか対応出来ない。さらに、地震等で前後の揺れが発生した場合、台座部後方向に対しての掴持固定は出来ても、前方向に滑り外れる危険性がある。【０００６】  また、特許文献２に示された転倒防止器具においては、転倒防止するためのベルトを固定するＴ型金具は、薄型テレビの背面部及びテレビ台設置面共に両面接着テープで固着されているが、両面接着テープによる固着は温度による材質の変化と、経年使用による両面テープの劣化等により剥がれる危険性が高く安全とはいえない。【０００７】  そこで本発明は、上述した事情を鑑みなされたもので、その目的とするところは、薄型テレビ台座部とテレビ台天板を掴持押圧したり、両面接着テープにて接続金具を固着するのではなく、薄型テレビの形状やサイズ等にかかわらず、いずれの台座付薄型テレビにも固定設置ができ、揺らしても傾斜しても転倒落下しない安全性の高い転倒落下防止金具付テレビ台を実現することにある。
【課題を解決するための手段】
【０００８】  上述した課題を解決し目的を達成する為、本発明は請求項１の記載によれば、台座付薄型テレビを載置する複数段からなる金属性の移動式テレビ台において、前記テレビ台天板の後端左右脚支柱頭頂部から前方向へ突出させた左右アーム部先端に固定金具を横架結持し、前記薄型テレビの背面取付用インサートナットに高さを合わせて固定保持させる事を要旨としており、従って台座付薄型テレビをテレビ台にそのまま載せ、薄型テレビの背面取付用インサートナット位置に合わせて固定金具を結持するだけで設置固定ができる。【０００９】  上述した課題を解決し目的を達成する為、本発明は請求項２の記載によれば、前記左右アーム部は、前記テレビ台左右脚支柱に各々ひと回り細い内部支柱を嵌入内接することによって上下の高さ調整を自在にし、さらに前記テレビ台左右脚支柱外側面に螺刻を施し、ボルトネジにて前記内部支柱を押接固定させる事を要旨としており、従って請求項１の発明の作用に加え、ボルトにて内部支柱を脚支柱内接部に押圧固定することによって薄型テレビとテレビ台を一体化固定できる。【００１０】  上述した課題を解決し目的を達成する為、本発明は請求項３の記載によれば、前記固定金具は薄型テレビの背面取付用インサートナット位置に合うように長穴スリット形状としており、前記薄型テレビの製造メーカー各社によって異なる前記薄型テレビの背面取付用インサートナット位置に自在に対応出来る事を要旨としており、従って請求項１または請求項２に記載の発明の作用に加え、どのような薄型テレビの背面取付用インサートナットピッチにも合わせて接続固定ができる。
【発明の効果】
【００１１】  請求項１に記載の発明によれば、薄型テレビやテレビ台に穴等の加工を施す事なく、薄型テレビの背面取付用インサートナットを利用してテレビ台と固定保持でき、アーム部をテレビ台天板の後端左右脚支柱頭頂部から前方向へ突出させる為、薄型テレビ背面の突起部及び台座部後端の突起部にも障害とならず、固定設置ができる。【００１２】  請求項２に記載の発明によれば、アーム部は、ボルトにて脚支柱と内部支柱を押圧固定して薄型テレビとテレビ台を一体化固定している為、地震などの強い振動により薄型テレビがテレビ台天板部より滑って、テレビ本体が転倒落下する事はなく安全に設置できる。【００１３】  請求項３に記載の発明によれば、固定金具の取付用穴ピッチを長穴スリット形状にすることによって、横方向の取付穴ピッチに自在に対応することができ、高さ調整の作用と相乗してあらゆる薄型テレビにも利用できる。
【発明を実施するための形態】
【実施例】
【００１４】  以下、本発明を添付図１〜図４に基づき説明する。【００１５】  図１は、本発明に係る薄型テレビ用転倒落下防止金具付テレビ台の実施例を示す後方よりの斜視図である。図１におけるテレビ台本体１は、前後左右の四隅を垂直に伸びる脚支柱１２にて支持し、脚支柱１２の床設置側に移動用のキャスター１５が各々接続される。さらにＡＶ機器等を載置する複数段の棚１３を有し、天板１４には、台座付薄型テレビ３が載置されている。【００１６】  また、この薄型テレビ背面３１にはテレビ台後側脚支柱１２に嵌入した内部支柱１１が固定金具２を保持して接続されている。尚、図面上にはテレビ台の棚３段となっているが、棚４段とする構成にしてもよい。【００１７】  また、このテレビ台１はテレビ台後側左右脚支柱１２に先端頭頂部をテレビ台前方向に曲げたひと回り細い内部支柱１１が嵌入されおり、後側左右脚支柱１２外側面には内部支柱１１を押圧固定する為のボルト１６が備わっている。これにより内部支柱１１の上下の高さが自在に調整できる。【００１８】  さらに、この内部支柱１１の頭頂部先端にはボルト・ナット１７にて左右の内部支柱１１を横架挟持するコの字型の固定金具２が接続されており、この固定金具２は薄型テレビ３の背面取付用インサートナット３５を利用して接続固定できるよう、長穴スリット２１状の挿通孔となっている。これによって、背面取付用インサートナットピッチに合わせて自在に調整固定できる。【００１９】  ここで、テレビ台１に載置される薄型テレビ３は、横長のディスプレイ部本体３４と、このディスプレイ部本体３４を下端中央部で支える支持脚３２と、支持脚３２の下端側を保持した台座部３３とをそなえた自立型の構造となっており、背面取付用インサートナット３５位置は、通常薄型テレビ背面３１上側と下側に各々２ヶ所、上下合計で４ヶ所のインサートナットが付属されている。又、機種によっては薄型テレビ背面３１中間部にさらに２ヶ所、合計６ヶ所付属されるものもある。本発明では、この上側インサートナットの２ヶ所のみを使用する。【００２０】  図２では、図１での実施例を右側面から見た詳細図及び設置方法でありテレビ台天板１４に載置された薄型テレビ３は、背面取付用インサートナット３５を利用して固定金具２に固定される。この薄型テレビ３の背面取付用インサートナット３５はテレビメーカー、機種等により高さ取付位置が各々異なる為、それに合わせてテレビ台脚支柱１２に嵌入された内部支柱１１を上下に伸縮調整させて適切な位置にて固定金具２と結持する。【００２１】  図２における３Ａは、小型サイズの薄型テレビを使用した時の載置図となり、内部支柱１１が自在に上下高さを調整できる事を示している。【００２２】  次に、薄型テレビ３と固定金具２が固定された事により脚支柱１２と内部支柱１１をボルト１６で押圧固定する。これにより薄型テレビ３はテレビ台１と一体化固定され地震等の揺れから転倒落下がはかれる。【００２３】  尚且つ、この脚支柱１２と内部支柱１１をボルト１６で押圧し固定した拡大図が図３となる。左右脚支柱１２に嵌入された内部支柱１１を、脚支柱１２外側に螺刻を施しボルトネジ１６にて締め付け押圧することによってテレビ台１と一体化���定される。【００２４】  図４の（ａ）は、本発明の固定金具２と薄型テレビ背面３１の接続方法である。コの字型形状の固定金具２の長穴スリット２１に指定のボルト１８を挿通させ、薄型テレビ背面取付インサートナット３５と接続固定させる。【００２５】  図４の（ｂ）も同様に、内部支柱１１の頭頂部先端に固定金具２を接続し、薄型テレビ３の背面取付用インサートナット３５に合わせた状態を示した側面図である。
【産業上の利用可能性】
【００２６】  最近の薄型テレビは、一般家庭や業務用を問わず増えてきており、この状況の中で薄型テレビをある程度の設置高さを要するテーブルに載置する場合は、標準装備の台座部をわざわざ取り外してスタンド型のテーブルに設置固定している。本発明は、標準装備の台座部をそのまま使用し薄型テレビの背面取付インサートナットを利用してテレビ台支柱と一体化させる事によって安全性を確保し薄型テレビの転倒落下防止を確保している。【００２７】  また、薄型テレビの買い替え時に違うメーカー、違うサイズを選択してもある程度の余地で柔軟に固定設置ができ、安全性が確保される。
【図面の簡単な説明】
【００２８】
【図１】本発明の第１実施形態を示す薄型テレビと薄型テレビ用転倒落下防止金具付テレビ台の背面よりの斜視図である。
【図２】本発明、図１の形態を側面から示した詳細図である。
【図３】本発明、図２の脚支柱と内部支柱の押圧固定を示した詳細図である。
【図４】本発明の（ａ）固定金具図と（ｂ）薄型テレビとの接続方法である。
【符号の説明】
【００２９】  １    テレビ台
１１  内部支柱
１２  脚支柱
１３  棚
１４  天板
１５  キャスター
１６  内部支柱押圧用ボルトネジ
１７  固定金具と内部支柱を結持するボルト、ナット
１８  固定金具と薄型テレビを固定するボルトネジ
２    固定金具
２１  薄型テレビとの接続用長穴スリット
３    薄型テレビ
３１  薄型テレビ背面部
３２  薄型テレビ支持脚
３３  薄型テレビ台座部
３４  薄型テレビディスプレイ部本体
３５  薄型テレビ背面取付用インサートナット
３Ａ  小型薄型テレビ
【図１】
2010279007.tif 000003
【図２】
2010279007.tif 000004
【図３】
2010279007.tif 000005
【図４】
2010279007.tif 000006